(57)【要約】【課題】複数のデバイスのユーザインタフェースを提供する装置において、ユーザの使い勝手を向上させる。【解決手段】複数のデバイスのユーザインタフェースを提供するユーザインタフェース提供装置であって、複数のデバイスのユーザインタフェースの生成に用いられるユーザインタフェース生成情報を取得するユーザインタフェース生成情報取得手段と、ユーザインタフェース生成情報取得手段により取得した複数のデバイスのユーザインタフェース生成情報を用いて、対応するデバイスごとのユーザインタフェースを、ユーザインタフェースを提供する１つのツールの中に生成するユーザインタフェース生成手段と、を備える。【選択図】  図１
2008234118.tif 000002
【特許請求の範囲】
【請求項１】
複数のデバイスのユーザインタフェースを提供するユーザインタフェース提供装置であ
って、
前記複数のデバイスのユーザインタフェースの生成に用いられるユーザインタフェース
生成情報を取得するユーザインタフェース生成情報取得手段と、
前記ユーザインタフェース生成情報取得手段により取得した前記複数のデバイスのユー
ザインタフェース生成情報を用いて、対応するデバイスごとのユーザインタフェースを、
ユーザインタフェースを提供する１つのツールの中に生成するユーザインタフェース生成
手段と、
を備えることを特徴とするユーザインタフェース提供装置。
【請求項２】
請求項１に記載のユーザインタフェース提供装置であって、
前記ユーザインタフェース生成情報は、デバイスが属するグループを識別する情報であ
るグループ識別情報を含み、
前記ユーザインタフェース生成手段は、同一の前記グループ識別情報を含むユーザイン
タフェース生成情報に対応するデバイスのユーザインタフェースを、前記１つのツールの
中に生成する
ことを特徴とするユーザインタフェース提供装置。
【請求項３】
請求項２に記載のユーザインタフェース提供装置であって、
前記ユーザインタフェース生成手段は、前記クループ毎にグループアイコンを生成し、
前記グループアイコンの選択に応じて対応するグループのグループ識別情報に対応して
生成された前記ツールを起動する
ことを特徴とするユーザインタフェース提供装置。
【請求項４】
情報処理装置であって、
複数のデバイスに関する、ユーザインタフェースの生成に用いられるユーザインタフェ
ース生成情報をそれぞれ取得するユーザインタフェース生成情報取得手段と、
前記ユーザインタフェース情報取得手段で取得した複数のデバイスに関するユーザイン
タフェース生成情報を結合させるユーザインタフェース生成情報結合手段と、
前記ユーザインタフェース生成情報結合手段により結合された前記複数のデバイスに関
するユーザインタフェース生成情報を、ユーザインタフェースを提供するユーザインタフ
ェース提供装置に送信する手段と
を備えることを特徴とする情報処理装置。
【請求項５】
請求項４に記載の情報処理装置であって、
前記ユーザインタフェース生成情報結合手段は、前記複数のデバイスに関するユーザイ
ンタフェース生成情報に前記情報処理装置の識別情報を付加する
ことを特徴とするユーザインタフェース提供装置。
【請求項６】
複数のデバイスと、当該複数のデバイスのユーザインタフェースを提供するユーザイン
タフェース提供装置と、からなるシステムであって、
前記複数のデバイスから、ユーザインタフェースの生成に用いられるユーザインタフェ
ース生成情報を取得するユーザインタフェース生成情報取得手段と、
前記ユーザインタフェース生成情報取得手段により取得した前記複数のデバイスのユー
ザインタフェース生成情報を用いて、対応するデバイスごとのユーザインタフェースを、
ユーザインタフェースを提供する１つのツールの中に生成するユーザインタフェース生成
手段と、
を備えることを特徴とするシステム。
【請求項７】
複数のデバイスと、当該複数のデバイスのユーザインタフェースを提供するユーザイン
タフェース提供装置と、からなるシステムであって、
同一のサービスグループに属するデバイスを特定するための情報であるサービスグルー
プ情報を取得するサービスグループ情報取得手段と、
前記サービスグループ情報取得手段で取得したサービスグループ情報を用いて、同一サ
ービスグループに属するデバイスを特定し、特定した複数のデバイスから、ユーザインタ
フェースの生成に用いられるユーザインタフェース生成情報を取得するユーザインタフェ
ース生成情報取得手段と、
前記ユーザインタフェース生成情報取得手段により取得した前記複数のデバイスのユー
ザインタフェース生成情報を用いて、前記同一のサービスグループに属するデバイスごと
のユーザインタフェースを、ユーザインタフェースを提供する１つのツールの中に生成す
るユーザインタフェース生成手段と、
を備えることを特徴とするシステム。
【請求項８】
複数のデバイスのユーザインタフェースを提供するユーザインタフェース提供装置のユ
ーザインタフェース生成方法であって、
前記ユーザインタフェース提供装置は、
前記複数のデバイスのユーザインタフェースの生成に用いられるユーザインタフェース
生成情報を取得するユーザインタフェース生成情報取得ステップと、
前記ユーザインタフェース生成情報取得ステップにより取得した前記複数のデバイスの
ユーザインタフェース生成情報を用いて、対応するデバイスごとのユーザインタフェース
を、ユーザインタフェースを提供する１つのツールの中に生成するユーザインタフェース
生成ステップと、
を行うことを特徴とするユーザインタフェース生成方法。
【請求項９】
複数のデバイスのユーザインタフェースを提供するユーザインタフェース提供装置とし
て、コンピュータを機能させるコンピュータプログラムであって、
前記複数のデバイスのユーザインタフェースの生成に用いられるユーザインタフェース
生成情報を取得するユーザインタフェース生成情報取得手段と、
前記ユーザインタフェース生成情報取得手段により取得した前記複数のデバイスのユー
ザインタフェース生成情報を用いて、対応するデバイスごとのユーザインタフェースを、
ユーザインタフェースを提供する１つのツールの中に生成するユーザインタフェース生成
手段として、
前記コンピュータを機能させることを特徴とするコンピュータプログラム。
【発明の詳細な説明】
【技術分野】
【０００１】
本発明は、プリンタやスキャナなどのデバイスのユーザインタフェースを提供する技術
に関する。
【背景技術】
【０００２】
プリンタやスキャナなどの周辺機器（以下、単に「デバイス」という）は、ホストコン
ピュータのＧＵＩ（Graphical User Interface）などのユーザインタフェースを介して受
け付けたユーザからの指示に従って制御される。かかるユーザインタフェースは、通常、
各デバイスで異なる。したがって、各デバイスは、ユーザインタフェースの生成のための
情報（「ユーザインタフェース生成情報」という）を備えており、これをホストコンピュ
ータに送信する。そして、ホストコンピュータのユーザインタフェースを生成するツール
は、このユーザインタフェース生成情報に基づいて、個々のデバイスについてユーザイン
タフェースを生成し、ユーザに対して提供する。すなわち、ユーザインタフェースを提供
するツールは、デバイスごとに存在する。
【０００３】
【特許文献１】特開平３−２３３６２８号公報
【発明の開示】
【発明が解決しようとする課題】
【０００４】
しかし、デバイスごとにユーザインタフェースのツールがあるのでは、デバイスの数が
増えるにつれて使い勝手が悪くなる。ユーザは、複数の異なるデバイスの設定のために、
いちいち複数の異なるツールを開かなければならず煩わしい。
【０００５】
本発明は、複数のデバイスのユーザインタフェースを提供する装置において、ユーザの
使い勝手を向上させることを目的とする。
【課題を解決するための手段】
【０００６】
上記目的を達成するため、本発明は、例えば、複数のデバイスのユーザインタフェース
を提供するユーザインタフェース提供装置であって、前記複数のデバイスのユーザインタ
フェースの生成に用いられるユーザインタフェース生成情報を取得するユーザインタフェ
ース生成情報取得手段と、前記ユーザインタフェース生成情報取得手段により取得した前
記複数のデバイスのユーザインタフェース生成情報を用いて、対応するデバイスごとのユ
ーザインタフェースを、ユーザインタフェースを提供する１つのツールの中に生成するユ
ーザインタフェース生成手段と、を備える。
【発明を実施するための最良の形態】
【０００７】
本発明の実施の形態について図面を参照して説明する。
【０００８】
図１は、本発明の第１の実施形態の、ユーザインタフェースを提供するＵＩ提供システ
ムの構成を示す図である。
【０００９】
ＵＩ提供システムは、ＵＩ提供装置１０と、複数のデバイス（基本デバイス２０、オプ
ションデバイス３０）と、が接続されて構成されている。ＵＩ提供装置１０と基本デバイ
ス２０との間や、基本デバイス２０とオプションデバイス３０との間は、ネットワークに
より接続されていてもよい。
【００１０】
ＵＩ提供装置１０は、ユーザに対してＧＵＩなどのユーザインタフェースを提供する情
報処理装置であり、デバイス２０、３０に対してホストコンピュータとして機能する。そ
のため、ＵＩ提供装置１０は、ユーザインタフェースの生成処理を行うＵＩ生成部１２と
、ユーザインタフェースの提供を行うＵＩ提供部１３とを備えるＵＩツール１１を備えて
いる。そして、ＵＩ提供装置１０は、ＵＩ提供部１３により提供されるユーザインタフェ
ースを介して、デバイス２０、３０に対するユーザからの指示（各種設定）を受け付ける
。そして、受け付けた指示を、対応するデバイス２０、３０に送ることにより、各デバイ
ス２０、３０を制御する。
【００１１】
基本デバイス２０は、オプションデバイス３０の状態を管理し、その動作を制御する情
報処理装置である。例えば、プリントサーバとして機能するものであってもよい。基本デ
バイス２０は、オプションデバイス３０のユーザインタフェース生成情報（ＵＩ生成情報
）を収集し、結合した後、ＵＩ提供装置１０に送る処理を行う。そのため、基本デバイス
２０は、ＵＩ生成情報を収集する処理を行うＵＩ生成情報収集部２１と、同一サービスグ
ループのＵＩ生成情報を１つに結合する（纏める）処理を行うＵＩ生成情報結合部２２と
を備えている。また、基本デバイス２０は、自身のデバイスＩＤ（デバイスを識別するた
めの情報）を格納する識別情報格納部２３と、自身のＵＩ生成情報を格納するＵＩ生成情
報格納部２４とを備えていてもよい。
【００１２】
オプションデバイス３０は、ホストコンピュータであるＵＩ提供装置１０からの指示に
したがって、特定の処理を実行する装置である。オプションデバイス３０は、基本デバイ
ス２０により管理されており、基本デバイス２０からの情報取得要求、設定要求に応じる
。オプションデバイス３０は、例えば、プリンタやスキャナなどのいわゆる周辺機器であ
る。
【００１３】
オプションデバイス３０は、自身のデバイスＩＤを格納する識別情報格納部３１と、自
身のＵＩ生成情報を格納するＵＩ生成情報格納部３２と、同一のサービスグループに属す
るデバイスを特定するための情報であるサービスグループ情報を格納するサービスグルー
プ情報格納部３３とを備えている。なお、オプションデバイス３０の中には、サービスグ
ループ情報を保持していないものもある。
【００１４】
図２は、ＵＩ生成情報４００の構成を示す図である。図示するように、ＵＩ生成情報４
００は、ＵＩ生成情報４００を識別するための情報（ＵＩ生成情報ＩＤ）４０１と、キャ
プション名４０２と、コントロール情報の数４０３と、コントロール情報群４０４とから
なる。コントロール情報群４０４は、コントロール情報の数４０３のコントロール情報ご
とに、コントロール情報を識別するための情報（コントロール情報ＩＤ）４０５と、コン
トロールの種類４０６と、コントロールのイメージ情報（アイコン、画像等）４０７と、
キャプション名４０８と、レイアウト位置（ＸＹ座標位置）４０９と、レイアウトサイズ
（幅、高さ）４１０と、設定項目群４１１とからなる。設定項目群４１１は、設定項目ご
とに、設定項目を識別するための情報（設定項目情報ＩＤ）４１２と、設定項目種類４１
３と、アクセス属性４１４と、データ名４１６と、データ属性（文字列、数値、フラグ、
候補等）４１７と、データ属性に応じたデータ（文字列：表示文字列、数値：初期値や範
囲（最大、最少）、フラグ：ＯＮ／ＯＦＦ、候補：初期候補や候補列）４１８とからなる
。
【００１５】
サービスグループ情報格納部３３は、図３に示すように、同一のサービスグループに属
するデバイスを特定するための情報であるサービスグループ情報を格納する。
【００１６】
図３は、サービスグループ情報３３０の構成を示す図である。サービスグループ情報３
３０には、サービスグループを識別するための情報（サービスグループＩＤ）３３１と、
サービスグループ名３３２と、そのサービスグループに属するデバイスのデバイスＩＤで
あるデバイスＩＤ群３３３とが対応付けられている。
【００１７】
なお、ＵＩ提供装置１０、及び周辺デバイス（基本デバイス２０、オプションデバイス
３０）は、主制御装置であるＣＰＵと、プログラム等が記録されたＲＯＭと、メインメモ
リとしてデータ等を一時的に格納するＲＡＭと、外部装置と通信を行うための通信装置と
、各装置間の通信経路となるバスとを備えたコンピュータにより構成される。ＵＩ提供装
置１０は、さらに、ハードディスク装置等の補助記憶装置と、キーボード、マウスなどの
入力装置と、出力装置として機能する表示装置とを備えている。また、各周辺デバイス２
０、３０は、それぞれの本来の機能を達成するための装置（ネットワーク接続装置、印刷
エンジン、スキャナエンジン等）を備えている。
【００１８】
図１で示した、各装置の各構成および機能は、ＣＰＵがメモリにロードした所定のプロ
グラムを実行することにより達成される。したがって、ＲＯＭには、それぞれの機能の処
理のためのプログラムが格納されている。
【００１９】
次に、上記のように構成されるＵＩ提供システムの特徴的な動作について説明する。
【００２０】
図４は、ＵＩ生成情報が収集されてＵＩ提供装置のＵＩツール１１に送信されるまでの
処理（ＵＩ生成情報収集処理）の流れを示すフロー図である。
【００２１】
なお、基本デバイス２０のＵＩ生成情報収集部２１は、基本デバイス２０にオプション
デバイス３０が接続されたときにかかるフローを開始する。あるいは、ＵＩ提供装置１０
からの要求に応じて開始してもよい。
【００２２】
基本デバイス２０のＵＩ生成情報収集部２１は、サービスグループ情報の送信要求を、
接続されているオプションデバイス３０に対してブロードキャストする（Ｓ１０１）。
【００２３】
これに答えて、サービスグループ情報を保持しているオプションデバイス３０のサービ
スグループ情報格納部３３は、格納しているサービスグループ情報３３０を、基本デバイ
ス２０に送信する（Ｓ１０２）。
【００２４】
基本デバイス２０のＵＩ生成情報収集部２１は、受信したサービスグループ情報３３０
により特定される同一のサービスグループに属するオプションデバイスに対して、ＵＩ生
成情報の送信要求を送信する（Ｓ１０３）。具体的には、サービスグループ情報３３０の
デバイス群３３３に格納されている複数のデバイスＩＤを特定することにより、サービス
グループＩＤ３３１のサービスグループに属するオプションデバイス３０を特定し、特定
したオプションデバイス３０に対して、ＵＩ生成情報の送信要求を送信する。なお、それ
ぞれのオプションデバイス３０は、自身のデバイスＩＤを基本デバイス２０に予め送って
いるものとする。
【００２５】
ＵＩ生成情報の送信要求を受信したオプションデバイス３０のＵＩ生成情報格納部３２
は、この要求に答えるべく、格納しているＵＩ生成情報４００を基本デバイス２０に送信
する（Ｓ１０４、Ｓ１０５）。なお、オプションデバイス３０は、サービスグループ情報
を保持しているか否かに関らず、ＵＩ生成情報の送信要求を受信したら、ＵＩ生成情報を
送信することになる。
【００２６】
次に、ＵＩ生成情報結合部２２は、収集されたＵＩ生成情報４００を同一サービスグル
ープに属するデバイスのＵＩ生成情報であるとして、１つに結合して（まとめて）、グル
ープ化ＵＩ生成情報を生成する（Ｓ１０６）。このとき、基本デバイス２０のＵＩ生成情
報格納部２３に、基本デバイス２０自身のＵＩ生成情報が格納されている場合、ＵＩ生成
情報結合部２２は、基本デバイス２０自身のＵＩ生成情報も合わせて、グループ化ＵＩ生
成情報を生成する。
【００２７】
図５は、グループ化ＵＩ生成情報５００の構成を示す図である。グループ化ＵＩ生成情
報５００は、サービスグループ情報３３０に似た構成であり、サービスグループＩＤ５０
１と、サービスグループ名５０２と、デバイスＩＤ群５０３と、からなる。デバイスＩＤ
群５０３には、デバイスＩＤ５０４ごとに、ＵＩ生成情報５０５が格納される。
【００２８】
そして、基本デバイス２０のＵＩ生成情報結合部２２は、生成したグループ化ＵＩ生成
情報５００を、ＵＩ提供装置１０に送る。なお、ＵＩ提供装置１０の要求に応じて、グル
ープ化ＵＩ生成情報５００を送るようにしてもよい。
【００２９】
ＵＩ提供装置１０のツール生成部１２は、グループ化ＵＩ生成情報５００を受信すると
、受信したグループ化ＵＩ生成情報５００を用いて、ユーザインタフェースを生成する。
このとき、ユーザインタフェースを提供する１つのツールに、グループ化ＵＩ生成情報５
００に含まれている、同一のサービスグループに属する複数のデバイスのユーザインタフ
ェースを生成する。
【００３０】
そして、ツール提供部１３は、生成したユーザインタフェースを、表示装置など用いて
ユーザに提供する。図６は、ユーザインタフェースを提供する画面（ツール画面）６００
を示す図である。なお、ツール提供部１３は、表示装置に、ユーザインタフェースの提供
要求を受け付けるためのアイコンを、１つのサービスグループに対して１つ表示して、か
かるアイコンのユーザによる選択により、対応するツール画面を表示（開く）するように
してもよい。すなわち、ユーザからの１つの動作（１クリック）により、１つのツールの
起動を受け付け、その１つのツールの中で、同一サービスグループに属する複数のデバイ
スのユーザインタフェースを提供する。
【００３１】
図６のツール画面６００では、１つのツールの中で、同一サービスグループに属する、
プリンタ、スキャナ等のユーザインタフェース６１２が、ユーザに対して提供されている
ところを示す。
【００３２】
ツール提供部１３は、デバイスごとに設けられたタブ６１１を表示し、かかるタブ６１
１のいずれかの選択をユーザから入力装置を介して受け付ける。そして、選択されたデバ
イスのユーザインタフェース６１２をツール画面６００に表示する。図６では、ユーザイ
ンタフェース６１２として、各種設定項目６１３の受け付け画面を表示している。そして
、ツール提供部１３は、対応するデバイスに関する各種設定をユーザから受け付ける。な
お、タブ６１１には、プリンタ、スキャナなどのデバイス名を表示してもよい。また、サ
ービスグループ名を表示してもよい。
【００３３】
以上、本発明の第１の実施形態について説明した。
【００３４】
次に、第２の実施形態について説明する。
【００３５】
第２の実施形態は、基本的には、上記第１の実施形態と類似した構成を備えているが、
サービスグループ情報をオプションデバイス３０、基本デバイス２０が保持しない点で異
なる。
【００３６】
第２実施形態においては、ＵＩ提供装置１０と基本デバイス２０の間はネットワークで
接続されるが、基本デバイス２０とオプションデバイス３０の間は例えばＵＳＢやＩＥＥ
Ｅ１３９４等のシリアルインターフェイスで接続される。
【００３７】
そして、基本デバイス２０を中心としてローカル接続されたデバイス群を１グループと
する。
【００３８】
図７は、本実施形態における、ＵＩ生成情報が収集されてＵＩツール１１に送信される
までのフロー図である。
【００３９】
基本デバイス２０のＵＩ生成情報収集部２１は、基本デバイス２０にオプションデバイ
ス３０が接続されたときにかかるフローを開始する。あるいは、ＵＩ提供装置１０からの
要求に応じて開始してもよい。
【００４０】
基本デバイス２０のＵＩ生成情報収集部２１は、ＵＩ生成情報の送信要求を、接続され
ているオプションデバイス３０に対して送信する（Ｓ２０１）。
【００４１】
ＵＩ生成情報の送信要求を受信したオプションデバイス３０のＵＩ生成情報格納部３２
は、この要求に答えるべく、格納しているＵＩ生成情報４００を基本デバイス２０に送信
する（Ｓ２０２）。
【００４２】
次に、基本デバイス２０のＵＩ生成情報結合部２２は、収集したＵＩ生成情報４００を
基本デバイス２０に接続されたデバイス群のＵＩ生成情報であるとして、１つに結合して
（まとめて）、グループ化ＵＩ生成情報を生成する（Ｓ２０３）。このとき、基本デバイ
ス２０のＵＩ生成情報格納部２３に、基本デバイス２０自身のＵＩ生成情報が格納されて
いる場合、ＵＩ生成情報結合部２２は、基本デバイス２０自身のＵＩ生成情報も合わせて
、グループ化ＵＩ生成情報を生成する。
【００４３】
図８は、グループ化ＵＩ生成情報５１０の構成を示す図である。グループ化ＵＩ生成情
報５１０は、図５に示したグループ化ＵＩ生成情報５００に似た構成であるが、基本デバ
イス２０を中心としたグループであるので、基本デバイスＩＤ５１１と、基本デバイス名
５１２と、デバイスＩＤ群５１３と、からなる。デバイスＩＤ群５１３には、デバイスＩ
Ｄ５１４ごとに、ＵＩ生成情報５１５が格納される。基本デバイス名５１２は予めメーカ
によって定義された名前であっても良いし、ユーザによって定義され基本デバイス２０の
設置場所を示すものであっても良い。
【００４４】
そして、基本デバイス２０のＵＩ生成情報結合部２２は、生成したグループ化ＵＩ生成
情報５１０を、ＵＩ提供装置１０に送る（Ｓ２０４）。なお、ＵＩ提供装置１０の要求に
応じて、グループ化ＵＩ生成情報５００を送るようにしてもよい。
【００４５】
ＵＩ提供装置１０のツール生成部１２は、グループ化ＵＩ生成情報５１０を受信すると
、受信したグループ化ＵＩ生成情報５１０を用いて、ユーザインタフェースを生成する。
このとき、ユーザインタフェースを提供する１つのツールに、グループ化ＵＩ生成情報５
１０に含まれている、基本デバイス２０を中心としたグループに属する複数のデバイスの
ユーザインタフェースを生成する。
【００４６】
そして、ツール提供部１３は、生成したユーザインタフェースを、表示装置など用いて
ユーザに提供する。図９は、ユーザインタフェースを提供する画面（ツール画面）６００
を示す図である。なお、ツール提供部１３は、表示装置に、ユーザインタフェースの提供
要求を受け付けるためのアイコンを、１つの基本デバイスに対して１つ表示して、かかる
アイコンのユーザによる選択により、対応するツール画面を表示（開く）するようにして
もよい。すなわち、ユーザからの１つの動作（１クリック）により、１つのツールの起動
を受け付け、その１つのツールの中で、基本デバイスに接続される複数のデバイスのユー
ザインタフェースを提供する。
【００４７】
図９のツール画面６００では、１つのツールの中で、基本デバイスに接続される、プリ
ンタ、スキャナ等のユーザインタフェース６２２が、ユーザに対して提供されているとこ
ろを示す。
【００４８】
ツール提供部１３は、デバイスごとに設けられたタブ６２１を表示し、かかるタブ６２
１のいずれかの選択をユーザから入力装置を介して受け付ける。そして、選択されたデバ
イスのユーザインタフェース６２２をツール画面６００に表示する。図９では、ユーザイ
ンタフェース６２２として、各種設定項目６２３の受け付け画面を表示している。そして
、ツール提供部１３は、対応するデバイスに関する各種設定をユーザから受け付ける。な
お、タブ６２１には、プリンタ、スキャナなどのデバイス名を表示してもよい。また、基
本デバイス名を表示してもよい。
【００４９】
上記実施形態によれば、複数の周辺デバイスのユーザインタフェースが一つのツールで
管理される。したがって、ユーザは、デバイスごとにツールを使用する煩わしさから開放
される。また、サービスグループごとにデバイスのユーザインタフェースがまとめられる
ので、相互に関係のあるデバイスの各種設定が容易となる。
【００５０】
なお、本発明は、上記実施形態に制限されず、その要旨の範囲内で様々な変形が可能で
ある。
【００５１】
例えば、上記実施形態では、オプションデバイスを管理する基本デバイスが、ＵＩ生成
情報を収集したが、これに限られない。ＵＩ提供装置の中に、ＵＩ生成情報を収集する機
能を持たせてもよい。
【図面の簡単な説明】
【００５２】
【図１】ＵＩ提供システムの概略構成図。
【図２】ＵＩ生成情報の構成を示す図。
【図３】サービスグループ情報の構成図。
【図４】ＵＩ生成情報収集処理のフロー図。
【図５】グループ別ＵＩ生成情報の構成図。
【図６】ＵＩの表示画面を示す図。
【図７】ＵＩ生成情報収集処理のフロー図。
【図８】グループ別ＵＩ生成情報の構成図。
【図９】ＵＩの表示画面を示す図。
【符号の説明】
【００５３】
１０…ＵＩ提供装置、１１…ＵＩツール、１２…ＵＩ生成部、１３…ＵＩ提供部、２０…
基本デバイス、２１…ＵＩ生成情報収集部、２２…ＵＩ生成情報結合部、２３…識別情報
格納部、２４…ＵＩ生成情報格納部、３０…オプションデバイス、３１…識別情報格納部
、３２…ＵＩ生成情報格納部、３３…サービス情報格納部
【図１】
2008234118.tif 000003
【図２】
2008234118.tif 000004
【図３】
2008234118.tif 000005
【図４】
2008234118.tif 000006
【図５】
2008234118.tif 000007
【図６】
2008234118.tif 000008
【図７】
2008234118.tif 000009
【図８】
2008234118.tif 000010
【図９】
2008234118.tif 000011